(57)【要約】【課題】上下方向の小型化を図ることができるジャックコネクタを提供する。【解決手段】挿入用開口部１ａの前側から後側に向かって挿入されるプラグコネクタを収納可能な収納空間１ｂを形成するケース部１０と、挿入されたプラグコネクタに弾接可能な導電端子３と、補強部材４０と、備える。そして、天井部１５は、収納空間１ｂの中心部に対応する位置に上側へ突出して形成された突出部１５ａを有するとともに、突出部１５ａの周囲に突出部１５ａよりも上下方向の寸法が小さく設定される段差部１５ｂを有する。さらに、補強部材４０は、少なくとも突出部１５ａに対応する位置に切抜部４０ａを有するとともに、突出部１５ａの周囲で段差部１５ｂに当接している。【選択図】図２
2015232981.tif 000002
【特許請求の範囲】
【請求項１】
底部と前記底部の両側部から立設される一対の側壁部と前記一対の側壁部の上側に位置する天井部とからなり、前側に挿入用開口部を有し、前記挿入用開口部の前側から後側に向かって挿入されるプラグコネクタを収納可能な収納空間を形成するケース部と、
前記ケース部の内外を連通するように前記ケース部に保持されるとともに前記収納空間に挿入された前記プラグコネクタに弾接可能な導電端子と、
前記天井部に当接可能な押さえ部および前記押さえ部の両側部から下側に延設され固定される一対の側板部を有する補強部材と、を備えたジャックコネクタであって、
前記天井部は、前記収納空間の中心部に対応する位置に上側へ突出して形成された突出部を有するとともに、前記突出部の周囲に前記突出部よりも上下方向の寸法が小さく設定される段差部を有し、
前記補強部材は、少なくとも前記突出部に対応する位置に切抜部を有するとともに、前記突出部の周囲で前記段差部に当接していることを特徴とするジャックコネクタ。
【請求項２】
前記天井部は、前記収納空間において前記突出部に対応する位置に上側に向かって凹んで形成される凹部を有することを特徴とする請求項１に記載のジャックコネクタ。
【請求項３】
前記切抜部は切抜孔であり、前記補強部材には前記切抜孔の周囲に環状部が形成され、前記環状部が前記押さえ部となっていることを特徴とする請求項１又は請求項２に記載のジャックコネクタ。
【請求項４】
前記天井部は、前記段差部の周囲に前記段差部よりも上下方向の寸法が小さく設定される逃げ部を有することを特徴とする請求項１乃至請求項３のいずれかに記載のジャックコネクタ。
【発明の詳細な説明】
【技術分野】
【０００１】
本発明は、プラグコネクタとの電気的接続を行うジャックコネクタに関する。
【背景技術】
【０００２】
挿入されたプラグとの電気的接続を行うジャックとしてのコネクタが開示されている（例えば特許文献１）。
【０００３】
図７は特許文献１に記載のコネクタ１００の斜視図である。コネクタ１００は、本体部１０２、シェル１０３および３つのコンタクト部材１０４〜１０６が図示されている。コンタクト部材１０４〜１０６は、本体部１０２から突出して、基材１１３のコンタクトパッド１１０〜１１２にはんだ付けされる。本体部１０２は、シェル１０３と基材１１３との間に配置され、シェル１０３によって少なくとも部分的に包囲される。基材１１３に向かうシェル１０３の側壁１１８の端部は、締結部材１２２、１２３に続いている。
【０００４】
シェル１０３の締結部材１２２、１２３は、基材１１３のコンタクトパッド１２４、１２５にはんだ付けされて、基材１１３に取り付けられる。また、シェル１０３の締結部材１２２、１２３は、はんだ付け以外の方法で、例えばネジで留められて、あるいは接着されて、基材１１３に取り付けられてもよい。
【０００５】
こうして、コネクタ１００は、シェル１０３を備えることによって基材１１３に対する取り付け強度を高めることができる。
【先行技術文献】
【特許文献】
【０００６】
【特許文献１】特開２０１１−１４２０７８号公報
【発明の概要】
【発明が解決しようとする課題】
【０００７】
しかしながら、このようなジャックコネクタを取り付ける機器の軽量化や薄型化の進展とともに、ジャックコネクタに対して、より小型化することが要求されている。従来のコネクタ１００では、本体部１０２の上面をシェル１０３が覆っているので、シェル１０３の厚さの分だけ上下方向に大型化するという問題があった。
【０００８】
本発明は、上述した課題を解決するもので、上下方向の小型化を図ることができるジャックコネクタを提供することを目的とする。
【課題を解決するための手段】
【０００９】
本発明のジャックコネクタは、底部と前記底部の両側部から立設される一対の側壁部と前記一対の側壁部の上側に位置する天井部とからなり、前側に挿入用開口部を有し、前記挿入用開口部の前側から後側に向かって挿入されるプラグコネクタを収納可能な収納空間を形成するケース部と、前記ケース部の内外を連通するように前記ケース部に保持されるとともに前記収納空間に挿入された前記プラグコネクタに弾接可能な導電端子と、前記天井部に当接可能な押さえ部および前記押さえ部の両側部から下側に延設され固定される一対の側板部を有する補強部材と、備えたジャックコネクタであって、前記天井部は、前記収納空間の中心部に対応する位置に上側へ突出して形成された突出部を有するとともに、前記突出部の周囲に前記突出部よりも上下方向の寸法が小さく設定される段差部を有し、前記補強部材は、少なくとも前記突出部に対応する位置に切抜部を有するとともに、前記突出部の周囲で前記段差部に当接していることを特徴とする。
【００１０】
この構成によれば、補強部材の押さえ部が段差部に当接して、天井部の突出部は補強部材に覆われていないので上下方向の小型化を図ることができる。
【００１１】
また、本発明のジャックコネクタにおいて、前記天井部は、前記収納空間において前記突出部に対応する位置に上方に向かって凹んで形成される凹部を有することを特徴とする。
【００１２】
この構成によれば、プラグコネクタに弾接可能な導電端子と挿入されたプラグコネクタとが収納可能な収納空間を確保しながら、天井部の段差部を低くして、上下方向の小型化を図ることができる。
【００１３】
また、本発明のジャックコネクタにおいて、前記切抜部は切抜孔であり、前記補強部材には前記切抜孔の周囲に環状部が形成され、前記環状部が前記押さえ部となっていることを特徴とする。
【００１４】
この構成によれば、補強部材の切抜部として一対の側板部をさらに分割する切欠を形成することも考えられるが、その場合、補強部材の強度が落ちて補強部材としての意味をなさなくなるおそれがある。切抜孔として突出部の周囲に補強部材の環状部を形成することで補強部材の強度を維持することができる。
【００１５】
また、本発明のジャックコネクタにおいて、前記天井部は、前記段差部の周囲に前記段差部よりも上下方向の寸法が小さく設定される逃げ部を有することを特徴とする。
【００１６】
補強部材として、例えば金属板を折り曲げて押さえ部と側板部を形成すると、折り曲げ部分の内側に曲面部が生じるが、天井部に逃げ部が設けられていないと、その曲面部が天井部に当接するため、押さえ部を天井部に当接させることができなくなる。段差部の周囲に段差部よりも上下方向の寸法が小さく設定される逃げ部を有するようにすれば、曲面部の天井部に対する当接を避けることができ、押さえ部をしっかりと天井部に当接させることができる。
【発明の効果】
【００１７】
本発明によれば、上下方向の小型化を図ることができるジャックコネクタを提供することができる。
【図面の簡単な説明】
【００１８】
【図１】本発明の実施形態のジャックコネクタを示す斜視図である。
【図２】本発明の実施形態のジャックコネクタを示す分解斜視図である。
【図３】本発明の実施形態のジャックコネクタを示す平面図である。
【図４】図３のＩＶ−ＩＶ線で切断した断面図である。
【図５】図３のＶ−Ｖ線で切断した断面図である。
【図６】本発明の実施形態のジャックコネクタを基材に取り付けた説明図である。
【図７】従来のコネクタの斜視図である。
【発明を実施するための形態】
【００１９】
以下、本発明の実施の形態について図面を用いて詳細に説明する。なお、分かりやすいように、図面は寸法を適宜変更している。
【００２０】
図１は、本発明の実施形態のジャックコネクタ１を示す斜視図である。図２は、本発明の実施形態のジャックコネクタ１を示す分解斜視図である。図３は、本発明の実施形態のジャックコネクタ１を示す平面図である。図４は、図３のＩＶ−ＩＶ線で切断した断面図である。図５は、図３のＶ−Ｖ線で切断した断面図である。図６は、本発明の実施形態のジャックコネクタ１を基材６０に取り付けた説明図である。
【００２１】
本発明の実施形態のジャックコネクタ１は、図１〜図５に示すように、プラグコネクタが挿入される挿入用開口部１ａを有するケース部１０と、ケース部１０の内外を連通するようにケース部１０に保持される導電端子３と、補強部材４０とを備えている。ジャックコネクタ１は、図６に示すように基材６０に固定されて、図示しない電子機器に装着される。
【００２２】
なお、以下の説明においては、図１のＺ１側を上側、Ｚ２側を下側、Ｘ１側を左側、Ｘ２側を右側、Ｙ１側を前側、Ｙ２側を後側として記載している。これは説明を分かりやすくするためであり、ジャックコネクタ１の使用時の方向を限定するものではない。
【００２３】
ケース部１０は、絶縁性の合成樹脂で形成されている。ケース部１０は、図２に示すように、前側および上側に前側開放部１１ａおよび上側開放部１１ｂを有する下側ハウジング１１と、下側ハウジング１１の上側に取り付けられる上側カバー１２とから構成される。ケース部１０は、底部１１ｆと底部１１ｆの両側部から立設される一対の側壁部１１ｃ、１１ｄと一対の側壁部１１ｃ、１１ｄの上側に位置する天井部１５と天井部１５から延設されたキャップ部１３とからなり、キャップ部１３にプラグコネクタが挿入される挿入用開口部１ａを有する。ケース部１０の内部には、挿入用開口部１ａの前側から後側に向かって挿入されるプラグコネクタを収納可能な収納空間１ｂが形成される。
【００２４】
下側ハウジング１１は、光吸収材料により形成されている。例えば、黒色に着色されたナイロン樹脂を使用することができる。ナイロン樹脂は、適度な加熱で成形することができ、また、ナイロン樹脂は着色用の顔料を多く含有している場合は光吸収性を有している。下側ハウジング１１は、上側開放部１１ｂの三方を囲むようにハウジング側平滑面１１ｅを備えている。また、側壁部１１ｃ、１１ｄには、壁面から突出するように係止突起５２、５３が設けられている（図３参照）。さらに、下側ハウジング１１には、導電端子３が取り付けられている。
【００２５】
導電端子３は導電性の金属で形成され、ケース部１０（下側ハウジング１１）の内外を貫通している。より具体的には、導電端子３は、インサート成形によって下側ハウジング１１に一体化されている。導電端子３は、プラグコネクタの接続端子（図示しない）に電気的に接続される弾接部３１ａ、３２ａ、３３ａ、３４ａが、挿入用開口部１ａからケース部１０の内部に続く収納空間１ｂに露出するように設けられている。なお、導電端子３には、例えば、燐青銅を使用することができる。また、インサート成形に限定されず、例えば接着材等によって一体化させてもよい。
【００２６】
下側ハウジング１１の上側に取り付けられる上側カバー１２は、レーザ光を透過可能な光透過材料により形成されている。例えば、乳白色のナイロン樹脂を使用することができる。ナイロン樹脂は、適度な加熱で成形することができ、また、顔料を含有していない場合には乳白色で透光性を有している。上側カバー１２は、下側ハウジング１１のハウジング側平滑面１１ｅに当接するカバー側平滑面１２ｅを備えている。カバー側平滑面１２ｅは、上側カバー１２の上側の面からの板厚が一定に形成されている。上側（Ｚ１側）からレーザ光を照射することによって、上側カバー１２のカバー側平滑面１２ｅに当接した下側ハウジング１１のハウジング側平滑面１１ｅを加熱して、カバー側平滑面１２ｅとハウジング側平滑面１１ｅとを溶着させることができる。
【００２７】
上側カバー１２の天井部１５は、図２に示すように、収納空間１ｂの中心部に対応する位置に上側へ突出して形成された突出部１５ａを有するとともに、突出部１５ａの周囲に突出部１５ａよりも上下方向の寸法が小さく設定される段差部１５ｂを有している。さらに、天井部１５は、図２に示すように、段差部１５ｂの周囲に段差部１５ｂよりも上下方向の寸法が小さく設定される逃げ部１６を有している。また、天井部１５は、図４および図５に示すように、収納空間１ｂにおいて突出部１５ａに対応する位置に上側に向かって凹んで形成される凹部１５ｃを有している。
【００２８】
収納空間１ｂは、図４および図５に示すように、凹部１５ｃによって上側に拡げられている。この収納空間１ｂには、弾接部３２ａ、３３ａ、３４ａと、弾接部３２ａ、３３ａ、３４ａを保護するインナー部材２０が配置されている。
【００２９】
インナー部材２０は、絶縁性の合成樹脂で形成されている。例えば、上側カバー１２と同じように、乳白色のナイロン樹脂を使用することができる。インナー部材２０を配置していることにより、弾接部３２ａ、３３ａ、３４ａを保護するとともに、挿入用開口部１ａからプラグコネクタが適切に挿入されるようにガイドすることができる。
【００３０】
補強部材４０は、金属板の打ち抜き加工と折り曲げ加工によって、ケース部１０を囲むように形成されている。補強部材４０は、上側カバー１２の天井部１５の突出部１５ａに対応する位置に切抜部４０ａを有するとともに、切抜部４０ａの周囲に環状部４０ｂが形成されている。なお、切抜部４０ａは図２に示すように切抜孔である。
【００３１】
補強部材４０の環状部４０ｂは、図５に示すように、天井部１５の突出部１５ａの周囲で段差部１５ｂに当接可能な押さえ部４５になっている。補強部材４０は、図２に示すように、押さえ部４５の両側部から下側に延設される一対の側板部４６、４７と、一対の側板部４６、４７に形成された係止孔５０、５１と、一対の側板部４６、４７の下端にそれぞれ延設される取り付け部４８、４９とを備えている。
【００３２】
補強部材４０は、図１に示すように、係止孔５０、５１が下側ハウジング１１に設けられた係止突起５２、５３にそれぞれ係止されてケース部１０に固定され、また、図６に示すように、取り付け部４８、４９が基材６０に半田付けされて基材６０に固定される。本実施形態のジャックコネクタ１は、ケース部１０の外方に露出した複数の導電端子３が、基材６０に半田付けされて実装され、補強部材４０の取り付け部４８、４９は導電端子３と同時に基材６０に半田付け可能である。
【００３３】
この構成によれば、補強部材４０の押さえ部４５が段差部１５ｂに当接して、係止孔５０、５１が下側ハウジング１１に設けられた係止突起５２、５３に固定されるとともに、取り付け部４８、４９が基材６０に固定できる。このため、上側カバー１２の下側ハウジング１１への取り付け強度と、ケース部１０の基材６０に対する取り付け強度とを高めることができる。
【００３４】
なお、天井部１５は、段差部１５ｂの周囲に段差部１５ｂよりも上下方向の寸法が小さく設定される逃げ部１６を有する。金属板を折り曲げて補強部材４０の押さえ部４５と側板部４６、４７を形成すると折り曲げ部分の内側に曲面部４０ｃが生じるが、逃げ部１６が設けられていないと、その曲面部４０ｃが天井部１５に当接するため、押さえ部４５を天井部１５に当接させることができなくなる。しかし、段差部１５ｂの周囲に段差部１５ｂよりも上下方向の寸法が小さく設定される逃げ部１６を有するようにすれば、曲面部４０ｃの天井部１５に対する当接を避けることができ、押さえ部４５をしっかりと天井部１５に当接させることができる。
【００３５】
本実施形態のジャックコネクタ１は、上側カバー１２の天井部１５と、下側ハウジング１１の底部１１ｆとを薄く形成している。さらに、天井部１５の凹部１５ｃによって上側に拡げられた収納空間１ｂに弾接部３２ａ、３３ａ、３４ａとインナー部材２０とが配置されている。このため、上下方向の小型化を図ることができる。補強部材４０は、環状部４０ｂがケース部１０の突出部１５ａとほぼ同じ高さになっているので、補強部材４０の厚さ分だけ高くする必要がない。したがって、上下方向の小型化を妨げることがない。
【００３６】
なお、補強部材４０の切抜部４０ａとして一対の側板部４６、４７をさらに分割する切欠を形成することも考えられるが、その場合、補強部材４０の強度が落ちて補強部材４０としての意味をなさなくなるおそれがある。本実施形態のジャックコネクタ１は、切抜孔として突出部１５ａの周囲に補強部材４０の環状部４０ｂを形成することで補強部材４０の強度を維持することができる。したがって、補強部材４０の強度が高いので、係止孔５０、５１が係止突起５２、５３にそれぞれ係止されていることにより、ケース部１０をしっかり固定し、ケース部１０を補強することができる。なお、補強部材４０の係止孔５０、５１に替えて内側に折り曲げられた突状部を設けるとともに、下側ハウジング１１の係止突起５２、５３に替えて係止溝を設け、係止溝に突状部を係止させるように構成してもよい。
【００３７】
以下、本実施形態としたことによる効果について説明する。
【００３８】
本実施形態のジャックコネクタ１は、挿入用開口部１ａの前側から後側に向かって挿入されるプラグコネクタを収納可能な収納空間１ｂを形成するケース部１０と、挿入されたプラグコネクタに弾接可能な導電端子３と、補強部材４０とを備える。ケース部１０は、底部１１ｆと底部１１ｆの両側部から立設される一対の側壁部１１ｃ、１１ｄと一対の側壁部１１ｃ、１１ｄの上側に位置する天井部１５とを備える。補強部材４０は、天井部１５に当接可能な押さえ部４５および押さえ部４５の両側部から下側に延設され固定される一対の側板部４６、４７を備える。そして、天井部１５は、収納空間１ｂの中心部に対応する位置に上側へ突出して形成された突出部１５ａを有するとともに、突出部１５ａの周囲に突出部１５ａよりも上下方向の寸法が小さく設定される段差部１５ｂを有する。さらに、補強部材４０は、少なくとも突出部１５ａに対応する位置に切抜部４０ａを有するとともに、突出部１５ａの周囲で段差部１５ｂに当接している。
【００３９】
この構成によれば、補強部材４０の押さえ部４５が段差部１５ｂに当接して、天井部１５の突出部１５ａは補強部材４０に覆われていないので上下方向の小型化を図ることができる。
【００４０】
また、本実施形態のジャックコネクタ１において、天井部１５は、収納空間１ｂにおいて突出部１５ａに対応する位置に上側に向かって凹んで形成される凹部１５ｃを有する。
【００４１】
この構成によれば、プラグコネクタに弾接可能な導電端子３と挿入されたプラグコネクタとが収納可能な収納空間１ｂを確保しながら、天井部１５の段差部１５ｂを低くして、上下方向の小型化を図ることができる。
【００４２】
また、本実施形態のジャックコネクタ１において、切抜部４０ａは切抜孔であり、補強部材４０には切抜孔の周囲に環状部４０ｂが形成され、環状部４０ｂが押さえ部４５となっている。
【００４３】
補強部材４０の切抜部４０ａとして一対の側板部４６、４７をさらに分割する切欠を形成することも考えられるが、その場合、補強部材４０の強度が落ちて補強部材４０としての意味をなさなくなるおそれがある。切抜部４０ａを切抜孔として突出部１５ａの周囲に補強部材４０の環状部４０ｂを形成することで補強部材４０の強度を維持することができる。
【００４４】
また、本実施形態のジャックコネクタ１において、天井部１５は、段差部１５ｂの周囲に段差部１５ｂよりも上下方向の寸法が小さく設定される逃げ部１６を有する。
【００４５】
補強部材４０として、例えば金属板を折り曲げて押さえ部４５と側板部４６、４７を形成すると、折り曲げ部分の内側に曲面部４０ｃが生じるが、天井部１５に逃げ部１６が設けられていないと、その曲面部４０ｃが天井部１５に当接するため、押さえ部４５を天井部１５に当接させることができなくなる。段差部１５ｂの周囲に段差部１５ｂよりも上下方向の寸法が小さく設定される逃げ部１６を有するようにすれば、曲面部４０ｃの天井部１５に対する当接を避けることができ、押さえ部４５をしっかりと天井部１５に当接させることができる。
【符号の説明】
【００４６】
１      ジャックコネクタ
１ａ    挿入用開口部
１ｂ    収納空間
３、３１、３２、３３、３４  導電端子
１０    ケース部
１１    下側ハウジング
１１ａ  前側開放部
１１ｂ  上側開放部
１１ｃ、１１ｄ  側壁部
１１ｅ  ハウジング側平滑面
１１ｆ  底部
１２    上側カバー
１２ｅ  カバー側平滑面
１３    キャップ部
１５    天井部
１５ａ  突出部
１５ｂ  段差部
１５ｃ  凹部
１６    逃げ部
２０    インナー部材
３１ａ、３２ａ、３３ａ、３４ａ  弾接部
４０    補強部材
４０ａ  切抜部
４０ｂ  環状部
４０ｃ  曲面部
４５    押さえ部
４６、４７  側板部
４８、４９  取り付け部
５０、５１  係止孔
５２、５３  係止突起
６０    基材
【図１】
2015232981.tif 000003
【図２】
2015232981.tif 000004
【図３】
2015232981.tif 000005
【図４】
2015232981.tif 000006
【図５】
2015232981.tif 000007
【図６】
2015232981.tif 000008
【図７】
2015232981.tif 000009